(57)【特許請求の範囲】
【請求項１】
照明器具を固着可能に形成された吊パイプと、この吊パイプを吊着可能に形成されたパイプ受け具と、このパイプ受け具が内部に納まるように形成されると共に、垂下されて設けられた棒状の設置部材が挿通可能な設置穴を上面に有し、設置部材に係止して固定可能に形成された吊具本体と、を備え、設置部材の軸方向延長線上に、吊パイプを配置可能に形成された照明器具用吊具において、吊具本体にはパイプ受け具を取り付けるための台座部がパイプ受け具側に突出するように設けられており、パイプ受け具は断面略コ字状に形成され、その対向する片のうち一方の片に吊パイプが吊着可能に形成されると共に、他方の片の設置部材が配置を予定する部分に開口部を設けることにより、パイプ受け具を設置部材から離間した状態で、その他方の片を吊具本体に取り付け可能に形成されていることを特徴とする照明器具用吊具。
【請求項２】
開口部が、穴であることを特徴とする請求項１記載の照明器具用吊具。
【発明の詳細な説明】
【０００１】
【発明の属する技術分野】
本発明は、照明器具を吊り下げる、照明器具用吊具に関するものである。
【０００２】
【従来の技術】
従来より、スポットライト等の天井面から吊り下げて照明する照明器具が用いられている。この照明器具の天井面への設置方法としては、例えば、図６に示すような、天井裏から垂下されて設けられた棒状の設置部材としての吊ボルトａを挿通可能な設置穴４６１，４６１を上面に２つ有する吊具本体４６を、その吊ボルトａにナットを用いて係止することにより天井面ｂに固定した後、この吊具本体４６に照明器具を固着した吊パイプ４２を吊着することによって設置する方法が行われている。
【０００３】
なお、この吊具本体４６の吊パイプ４２を吊着する部分は、吊パイプ４２側に突出するように設けられており、その突出する台座部４６２に、吊パイプ４２を吊着するための吊着穴４６３が設けられている。また、その突出する台座部４６２を挟んで２つの設置穴４６１，４６１が設けられており、照明器具等の重量が天井面ｂに偏ってかからないようになっている。しかし、このような吊具は、吊ボルトａを吊具の設置穴４６１，４６１の間隔に合わせて調整して２本設ける必要があり、吊ボルトａを設置するために必要な工数が多いという問題や、吊具を設置するためには２ヶ所ナット止めする必要があり、施工性が低いという問題があった。
【０００４】
そのため、図７（ａ）及び（ｂ）に示すような、１本の吊ボルトａに係止して天井面ｂに固定可能に形成された吊具が検討されている。この吊具は、照明器具を固着可能に形成された吊パイプ５２と、この吊パイプ５２を吊着可能に形成されたパイプ受け具５４と、このパイプ受け具５４を取り付け可能に形成すると共に、吊ボルトａを挿通可能な設置穴５６１を上面に１つ有する吊具本体５６と、を備えており、吊ボルトａの軸方向延長線上に吊パイプ５２を配置して、照明器具等の重量が天井面ｂに偏ってかからないようになっている。なお、この吊具の吊具本体５６には、パイプ受け具５４を取り付けるための台座部５６２が吊パイプ５２側に突出するように設けられており、パイプ受け具５４を取り付けしやすいようになっている。
【０００５】
また、この吊具のパイプ受け具５４は、図７（ｂ）に示すように、この吊具を天井面ｂに固定したときに、パイプ受け具５４のうち吊ボルトａが配置する部分を、吊パイプ５２側に凹形状とすることにより、パイプ受け具５４や吊パイプ５２と、吊ボルトａとが接触しないように形成されており、複雑な折り曲げ加工が施されている。しかし、このような複雑な折り曲げ加工を施されたパイプ受け具５４は、製造面で生産性が低く、少ない折り曲げ加工数で製造したパイプ受け具５４を用いても取り付け可能な、照明器具用吊具が求められている。
【０００６】
【発明が解決しようとする課題】
本発明は、上記問題点を改善するために成されたもので、その目的とするところは、照明器具を固着可能に形成された吊パイプと、この吊パイプを吊着可能に形成されたパイプ受け具と、このパイプ受け具が内部に納まるように形成された吊具本体と、を備え、設置部材の軸方向延長線上に、吊パイプを配置可能に形成された照明器具用吊具であって、パイプ受け具を取り付けしやすく、少ない折り曲げ加工数の部材を用いても取り付け可能な照明器具用吊具を提供することにある。
【０００７】
【課題を解決するための手段】
本発明の請求項１に係る照明器具用吊具は、照明器具を固着可能に形成された吊パイプと、この吊パイプを吊着可能に形成されたパイプ受け具と、このパイプ受け具が内部に納まるように形成されると共に、垂下されて設けられた棒状の設置部材を挿通可能な設置穴を上面に有し、設置部材に係止して固定可能に形成された吊具本体と、を備え、設置部材の軸方向延長線上に、吊パイプを配置可能に形成された照明器具用吊具において、吊具本体にはパイプ受け具を取り付けるための台座部がパイプ受け具側に突出するように設けられており、パイプ受け具が、断面略コ字状に形成され、その対向する片のうち一方の片に吊パイプが吊着可能に形成されると共に、他方の片の設置部材が配置を予定する部分に開口部を設けることにより、パイプ受け具を設置部材から離間した状態で、その他方の片を吊具本体に取り付け可能に形成されていることを特徴とする。
【０００８】
削除
【０００９】
本発明の請求項３に係る照明器具用吊具は、請求項１又は請求項２記載の照明器具用吊具において、開口部が、穴であることを特徴とする。
【００１０】
本発明によると、パイプ受け具が、断面略コ字状に形成され、その対向する片のうち一方の片に吊パイプが吊着可能に形成されると共に、他方の片の設置部材が配置を予定する部分に開口部を設けることにより、パイプ受け具を設置部材から離間した状態で、その他方の片を吊具本体に取り付け可能に形成されているため、少ない折り曲げ加工数で製造したパイプ受け具を用いても、照明器具を取り付けることが可能になる。また、この吊具の吊具本体には、パイプ受け具を取り付けるための台座部がパイプ受け具側に突出するように設けられており、パイプ受け具を取り付けしやすいようになっている。
【００１１】
【発明の実施の形態】
本発明に係る照明器具用吊具を図面に基づいて説明する。図１は本発明に係る照明器具用吊具の一実施の形態を説明する分解斜視図であり、図２は本発明に係る照明器具用吊具の一実施の形態の、パイプ受け具を説明する斜視図であり、図３は本発明に係る照明器具用吊具の一実施の形態の、設置した状態を説明する一部を破断して示した正面図である。また、図４は本発明に係る照明器具用吊具の他の実施の形態の、パイプ受け具を説明する斜視図であり、図５は本発明に係る照明器具用吊具の他の実施の形態の、設置した状態を説明する一部を破断して示した正面図である。
【００１２】
本発明に係る照明器具用吊具の一実施の形態は、図１又は図２に示すように、吊パイプ１２と、この吊パイプ１２を吊着可能に形成されたパイプ受け具１４と、このパイプ受け具１４を取り付け可能に形成されると共に、棒状の設置部材Ａとしての吊ボルトを挿通可能な設置穴１６１を上面に１つ有する吊具本体１６と、設置面Ｂの穴をふさぐための蓋１８と、を備えており、１本の設置部材Ａに係止して設置面Ｂに固定可能に形成された吊具である。なお、上記吊パイプ１２は、パイプ受け具１４に吊着する部分と反対側の部分に、照明器具を固着可能に形成されている。
【００１３】
なお、この吊具の吊具本体１６には、パイプ受け具１４を取り付けるための台座部１６２がパイプ受け具１４側に突出するように設けられており、パイプ受け具１４を取り付けしやすいようになっている。なおこのパイプ受け具１４を台座部１６２に取り付ける方法は、ネジ１７を用いて取り付けるようになっており、必要な場合には取り外しすることが可能になっている。
【００１４】
また、吊具本体１６の下面側には、横方向に突出した設置面接触部１６３が形成されており、図３に示すように、設置面Ｂに設置面接触部１６３を接触させると共に、ナット１９によって設置部材Ａに吊具本体１６を係止することにより、吊具本体１６を固定するようになっている。
【００１５】
また、図１又は図２に示すように、パイプ受け具１４は、断面略コ字状に形成されており、その対向する片１４１，１４２のうち一方の片１４１に、吊パイプ１２を吊着するための吊着穴１４３が設けられている。また、このパイプ受け具１４の他方の片１４２には、ほぼ中央部に開口部１４５が設けられると共に、ネジ１７を用いて台座部１６２に取り付けるためのネジ穴１４４が設けられている。また、コ字形状の内側方向にやや突出する突条１４６が、パイプ受け具１４のほぼ全周に渡って設けられており、パイプ受け具１４の曲げ強度を高めるようになっている。
【００１６】
なお、パイプ受け具１４の上記他方の片１４２に設けられた開口部１４５は、図３に示すように、この吊具を設置したときに、設置部材Ａが配置する部分に設けられている。そのため、パイプ受け具１４や吊パイプ１２を、設置部材Ａから離間した状態で取り付けることが可能になっており、設置部材Ａの軸方向延長線上に吊パイプ１２を配置することが可能になっている。
【００１７】
このように、パイプ受け具１４が、断面略コ字状に形成され、その対向する片１４１，１４２のうち一方の片１４１に吊パイプ１２が吊着可能に形成されると共に、他方の片１４２の設置部材Ａが配置を予定する部分に開口部１４５を設けることにより、パイプ受け具１４を設置部材Ａから離間した状態で、その他方の片１４２を吊具本体１６に取り付け可能に形成されているため、少ない折り曲げ加工数で製造したパイプ受け具１４を用いても、照明器具を取り付けることが可能になっている。
【００１８】
なお、上記開口部１４５の大きさは、設置部材Ａが配置可能な大きさであれば特に限定するものではなく、穴でも良く、図４に示すような上記他方の片１４２の端面に達するような開口でも良い。なお、穴の場合、パイプ受け具１４の強度が高く好ましい。
【００１９】
なお、この図４の実施の形態のパイプ受け具１４の開口部１４５の大きさは、図５に示すように、設置部材Ａに吊具本体１６を係止するためのナット１９の大きさよりも大きく形成している。そのため、パイプ受け具１４を吊具本体１６の上面の内側部分に直接取り付けることが可能になっており、直接取り付けた場合にも、パイプ受け具１４や吊パイプ１２を、設置部材Ａから離間した状態で取り付けることが可能になっている。
【００２０】
また、この実施の形態は、２つのナット１９，１９で吊具本体１６を挟むことにより、吊具本体１６を設置部材Ａに係止して固定する実施の形態である。このように設置面Ｂと吊具本体１６が接触することなしに、吊具本体１６を固定するようにしても良いが、図３に示す実施の形態のように吊具本体１６の下面側に横方向に突出する設置面接触部１６３を設け、設置面Ｂに設置面接触部１６３を接触させることにより吊具本体１６を固定するようにすると、施工性が優れ好ましい。
【００２１】
なお、上記実施の形態の吊具は、設置部材Ａが吊ボルトである実施の形態を説明したが、設置部材Ａは、垂下されて設けられた棒状のものであれば特に限定するものではなく、例えば、凹部を形成したパイプ等でも良い。この場合、例えばこの凹部に嵌合する弾性凸部を有する係止部材を嵌め込むことにより、設置部材Ａに吊具本体１６を係止する。
【００２２】
【発明の効果】
本発明に係る照明器具用吊具は、パイプ受け具が、断面略コ字状に形成され、その対向する片のうち一方の片に吊パイプが吊着可能に形成されると共に、他方の片の設置部材が配置を予定する部分に開口部を設けることにより、パイプ受け具を設置部材から離間した状態で、その他方の片を吊具本体に取り付け可能に形成されているため、少ない折り曲げ加工数で製造したパイプ受け具を用いても、照明器具を取り付けることが可能になる。また、この吊具の吊具本体には、パイプ受け具を取り付けるための台座部がパイプ受け具側に突出するように設けられており、パイプ受け具を取り付けしやすいようになっている。
【図面の簡単な説明】
【図１】本発明に係る照明器具用吊具の一実施の形態を説明する分解斜視図である。
【図２】本発明に係る照明器具用吊具の一実施の形態の、パイプ受け具を説明する斜視図である。
【図３】本発明に係る照明器具用吊具の一実施の形態の、設置した状態を説明する一部を破断して示した正面図である。
【図４】本発明に係る照明器具用吊具の他の実施の形態の、パイプ受け具を説明する斜視図である。
【図５】本発明に係る照明器具用吊具の他の実施の形態の、設置した状態を説明する一部を破断して示した正面図である。
【図６】従来の照明器具用吊具を説明する分解斜視図である。
【図７】従来の他の照明器具用吊具を説明する図であり、（ａ）は分解斜視図、（ｂ）は設置した状態を一部を破断して示した正面図である。
【符号の説明】
１２  ，４２，５２  吊パイプ
１４  ，５４  パイプ受け具
１４１  パイプ受け具のうち一方の片
１４２  パイプ受け具のうち他方の片
１４３，４６３  吊着穴
１４５  開口部
１６  ，４６，５６  吊具本体
１６１，４６１，５６１  設置穴
１６２，４６２，５６２  台座部
１６３  設置面接触部
１８    蓋
１９    ナット
Ａ    設置部材
Ｂ    設置面
【図１】
0003890734.tif 000002
【図２】
0003890734.tif 000003
【図３】
0003890734.tif 000004
【図４】
0003890734.tif 000005
【図５】
0003890734.tif 000006
【図６】
0003890734.tif 000007
【図７】
0003890734.tif 000008